【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
ロングタームエボリューション（ＬＴＥ）システムのアクセスデバイス（１２）によって実行される方法であって、前記方法は、
単一のキャリアに対して、物理ダウンリンク制御チャネル（ＰＤＣＣＨ）候補（１６６、１６８）の第１のグルーピングからなる第１のキャリア（ｆ１）の検索空間と、ＰＤＣＣＨ候補（１６４、１７０）の第２のグルーピングからなる第２のキャリア（ｆ２）の検索空間とを特定することと、
前記第１のグルーピングおよび前記第２のグルーピングの少なくとも１つのＰＤＣＣＨ候補に基づいて、前記第１のキャリアおよび前記第２のキャリアのうちの少なくとも１つに対するリソースグラントをユーザ機器（ＵＥ）（１０）に伝送することと
を含む、方法。
【請求項２】
リソースグラントを伝送する前記動作は、ＰＤＣＣＨ候補の前記第１のグルーピングに基づいて、前記第１のキャリアに対する前記リソースグラントを伝送することである、請求項１に記載の方法。
【請求項３】
リソースグラントを伝送する前記動作は、ＰＤＣＣＨ候補の前記第２のグルーピングに基づいて、前記第２のキャリアに対する前記リソースグラントを伝送することである、請求項１に記載の方法。
【請求項４】
ロングタームエボリューション（ＬＴＥ）システムのアクセスデバイス（１２）であって、前記アクセスデバイスは、請求項１〜３のいずれか一項に記載の方法を実行するように構成されている、アクセスデバイス（１２）。
【請求項５】
命令を格納しているコンピュータ読み取り可能な媒体であって、前記命令は、実行されると、請求項１〜５のいずれか一項に記載の方法を実行することをロングタームエボリューション（ＬＴＥ）システムのアクセスデバイス（１２）に行わせる、コンピュータ読み取り可能な媒体。
【請求項６】
ロングタームエボリューション（ＬＴＥ）システムのユーザ機器（１０）によって実行される方法であって、前記方法は、
単一のキャリアについて、物理ダウンリンク制御チャネル（ＰＤＣＣＨ）候補（１６６、１６８）の第１のグルーピングからなる第１のキャリア（ｆ１）の検索空間と、ＰＤＣＣＨ候補（１６４、１７０）の第２のグルーピングからなる第２のキャリア（ｆ２）の検索空間とを監視することと、
前記第１のグルーピングおよび前記第２のグルーピングの少なくとも１つのＰＤＣＣＨ候補に基づいて、リソースグラントをアクセスノード（１２）から受信することと
を含む、方法。
【請求項７】
リソースグラントを受信する前記動作は、ＰＤＣＣＨ候補の前記第１のグルーピングに基づいて、前記第１のキャリアに対する前記リソースグラントを受信することである、請求項６に記載の方法。
【請求項８】
リソースグラントを受信する前記動作は、ＰＤＣＣＨ候補の前記第２のグルーピングに基づいて、前記第２のキャリアに対する前記リソースグラントを受信することである、請求項６に記載の方法。
【請求項９】
ロングタームエボリューション（ＬＴＥ）システムのユーザ機器（ＵＥ）（１０）であって、前記ＵＥは、請求項６〜８のいずれか一項に記載の方法を実行するように構成されている、ＵＥ。
【請求項１０】
命令を格納しているコンピュータ読み取り可能な媒体であって、前記命令は、実行されると、請求項６〜８のいずれか一項に記載の方法を実行することをロングタームエボリューション（ＬＴＥ）システムのユーザ機器（ＵＥ）（１０）に行わせる、コンピュータ読み取り可能な媒体。
【請求項１１】
アグリゲーションレベル１（ＡＬ１）に対して、前記第１のグルーピングおよび前記第２のグルーピングの各ＰＤＣＣＨ候補は、単一の制御チャネル要素（ＣＣＥ）からなる、請求項１〜３および請求項６〜８のいずれか一項に記載の方法。
【請求項１２】
アグリゲーションレベル２（ＡＬ２）に対して、前記第１のグルーピングおよび前記第２のグルーピングの各ＰＤＣＣＨ候補は、２つの制御チャネル要素（ＣＣＥ）からなる、請求項１〜３および請求項６〜８のいずれか一項に記載の方法。
【請求項１３】
アグリゲーションレベル４（ＡＬ４）に対して、前記第１のグルーピングおよび前記第２のグルーピングの各ＰＤＣＣＨ候補は、４つの制御チャネル要素（ＣＣＥ）からなる、請求項１〜３および請求項６〜８のいずれか一項に記載の方法。
【請求項１４】
アグリゲーションレベル８（ＡＬ８）に対して、前記第１のグルーピングおよび前記第２のグルーピングの各ＰＤＣＣＨ候補は、１６個の制御チャネル要素（ＣＣＥ）からなる、請求項１〜３および請求項６〜８のいずれか一項に記載の方法。
【手続補正２】
【補正対象書類名】明細書
【補正対象項目名】００１１
【補正方法】変更
【補正の内容】
【００１１】
キャリアアグリゲーションの場合、制御チャネル構造は、ＤＣＩ制御メッセージを配信するために、各キャリアに配分される。簡単な方法として、各キャリアは、各キャリアに対して、独立して、制御チャネル情報をアクセスデバイスとＵＡとの間で通信可能にする別々のＰＤＣＣＨ領域を含むことができる。このアプローチは、制御チャネル情報を各キャリアに対して配信可能にするが、各キャリア上に、相当量のリソースの配分を必要とする。さらに、干渉のレベルが、キャリア間で様々であるため、全キャリア上にＰＤＣＣＨ領域を等しく実装することが困難であり得る。ある場合には、例えば、特定のキャリア上の干渉レベルは、キャリア上にＰＤＣＣＨ領域を実装することを困難または不可能にするほど相当な量であり得る。代替として、第１のキャリア上の制御メッセージのためのＤＣＩメッセージ形式は、各ＤＣＩメッセージと関連付けられた特有キャリアを示すための付加的フィールドを提供するように修正されてもよい。しかしながら、この解決法は、ＤＣＩ形式を修正するのに現在望ましくないため、望ましくない。
本発明は、例えば、以下を提供する。
（項目１）
ユーザエージェント（ＵＡ）において制御チャネルを処理して、多重キャリア通信システム内でリソースグラントによって配分されたアップリンクおよびダウンリンクリソースのうちの少なくとも１つを識別する方法であって、リソースグラントは、制御チャネル要素（ＣＣＥ）サブセットによって特定され、各ＣＣＥサブセットは、制御チャネル候補であり、該方法は、
第１のキャリア上の制御チャネル候補のサブセットを第２のキャリアと関連付けるステップであって、該第２のキャリアと関連付けられたサブセットは、第２のキャリア候補を含む、ステップと、
該第１のキャリア上の制御チャネル候補を受信するステップと、
該受信された制御チャネル候補を復号化して、該第２のキャリアのためのリソースグラントを識別することを試みるステップと
を含む、方法。
（項目２）
上記受信された制御チャネル候補が首尾よく復号化され、該復号化された制御チャネル候補が第２のキャリア候補である場合、復号化されたリソースグラントを上記第２のキャリアと関連付けるステップをさらに含む、項目１に記載の方法。
（項目３）
上記第２のキャリアと関連付けられた上記制御チャネル候補のサブセットは、第２のサブセットを含む、項目１に記載の方法であって、該方法は、上記第１のキャリア上の制御チャネル候補の第１のサブセットを該第１のキャリアと関連付けるステップをさらに含み、該第１のキャリアと関連付けられたサブセットは、第１のキャリア候補を含む、方法。
（項目４）
上記受信された制御チャネル候補が首尾よく復号化され、該復号化された制御チャネル候補が第１のキャリア候補である場合、復号化されたリソースグラントを上記第１のキャリアと関連付けるステップと、該受信された制御チャネル候補が首尾よく復号化され、該復号化された制御チャネル候補が第２のキャリア候補である場合、該復号化されたリソースグラントを上記第２のキャリアと関連付けるステップとをさらに含む、項目３に記載の方法。
（項目５）
上記復号化されたリソースグラントを使用して、リソースを上記首尾よく復号化された制御チャネル候補と関連付けられた第１および第２のキャリアのうちの１つに配分するステップをさらに含む、項目４に記載の方法。
（項目６）
上記制御チャネル候補に対応するＣＣＥは、複数を含み、上記制御チャネル候補の第１のサブセットは、該複数のうちの第１の部分の中にあり、上記制御チャネル候補の第２のサブセットは、該複数のうちの第２の部分の中にある、項目３に記載の方法。
（項目７）
１つ、２つ、４つ、および８つの連続的なＣＣＥをそれぞれ含む、制御チャネル候補の第１、第２、第４、および第８のアグリゲーションレベルが存在し、各アグリゲーションレベルにおける上記第２のキャリアに対応する第２の制御チャネル候補のＣＣＥは、各アグリゲーションレベルにおける上記第１のキャリアに対応する第１の制御チャネル候補のＣＣＥからＣＣＥの数だけシフトされる、項目３に記載の方法。
（項目８）
ＣＣＥの数は、各アグリゲーションレベルにおける、上記第１のキャリア制御チャネル候補に対するＣＣＥ全体の数である、項目７に記載の方法。
（項目９）
ＣＣＥの数は、Ｑの整数の倍数ではなく、Ｑは、上記それぞれのアグリゲーションレベルにおける各制御チャネル候補内のＣＣＥの数である、項目７に記載の方法。
（項目１０）
ＣＣＥの数は、１つのＣＣＥと（Ｑ−１）個のＣＣＥとの間にあって、ここで、Ｑは、それぞれのアグリゲーションレベルにおける各制御チャネル候補内のＣＣＥの数である、項目７に記載の方法。
（項目１１）
少なくとも上記第１のキャリア候補のサブセットおよび上記第２のキャリア候補のサブセットは、それぞれ、同一のＣＣＥを第１および第２の異なる順番で含む、項目３に記載の方法。
（項目１２）
１つ、２つ、４つ、および８つの連続的なＣＣＥをそれぞれ含む、ＣＣＥサブセット候補の第１、第２、第４、および第８のアグリゲーションレベルが存在し、各アグリゲーションレベルにおける、第１のキャリア制御チャネル候補および第２のキャリア制御チャネル候補に対応するＣＣＥの場所は、疑似乱数によって各々決定される、項目３に記載の方法。
（項目１３）
首尾よく復号化された制御チャネル候補が、一般的に、上記第１および第２の制御チャネル候補のサブセットの各々と関連付けられるとき、該首尾よく復号化された制御チャネル候補を上記第１のキャリアと関連付けるステップをさらに含む、項目１２に記載の方法。
（項目１４）
各アグリゲーションレベルにおける、第１のキャリア制御チャネル候補に対応するＣＣＥおよび第２のキャリア制御チャネル候補に対応するＣＣＥの場所は、相互にインターリービングされる、項目３に記載の方法。
（項目１５）
ユーザエージェント（ＵＡ）において制御チャネルを処理して、多重キャリア通信システム内でリソースグラントによって配分されたアップリンクおよびダウンリンクリソースのうちの少なくとも１つを識別する装置であって、リソースグラントは、制御チャネル要素（ＣＣＥ）サブセット候補によって特定され、該装置は、
第１のキャリア上の制御チャネル候補のサブセットを第２のキャリアと関連付けるステップであって、該第２のキャリアと関連付けられたサブセットは、第２のキャリア候補を含む、ステップと、
該第１のキャリア上の制御チャネル候補を受信するステップと、
該受信された制御チャネル候補を復号化して、該第２のキャリアのためのリソースグラントを識別することを試みるステップと
を行うプログラムを実行するプロセッサを備える、装置。
（項目１６）
上記プロセッサは、上記受信された制御チャネル候補が首尾よく復号化され、該復号化された制御チャネル候補が第２のキャリア候補である場合、上記復号化されたリソースグラントを上記第２のキャリアと関連付けるステップを行うようにさらにプログラムされる、項目１５に記載の装置。
（項目１７）
上記第２のキャリアと関連付けられた上記制御チャネル候補のサブセットは、第２のサブセットを含み、上記プロセッサは、上記第１のキャリア上の第１の制御チャネル候補のサブセットを該第１のキャリアと関連付けるステップを行うようにさらにプログラムされ、該第１のキャリアと関連付けられたサブセットは、第１のキャリア候補を含む、項目１５に記載の装置。
（項目１８）
上記プロセッサは、上記受信された制御チャネル候補が首尾よく復号化され、該復号化された制御チャネル候補が、第１のキャリア候補である場合、復号化されたリソースグラントを該第１のキャリアと関連付けるステップと、該受信された制御チャネル候補が首尾よく復号化され、該復号化された制御チャネル候補が第２のキャリア候補である場合、該復号化されたリソースグラントを該第２のキャリアと関連付けるステップとを行うようにさらにプログラムされる、項目１７に記載の装置。
（項目１９）
上記プロセッサは、上記復号化されたリソースグラントを使用して、リソースを上記首尾よく復号化された制御チャネル候補と関連付けられた第１および第２のキャリアのうちの１つに配分するステップを行うようにさらにプログラムされる、項目１７に記載の装置。
（項目２０）
上記ＣＣＥは、複数を含み、上記制御チャネル候補の第１のサブセットは、該複数のうちの第１の部分の中にあり、上記制御チャネル候補の第２のサブセットは、該複数のうちの第２の部分の中にある、項目１７に記載の装置。
（項目２１）
１つ、２つ、４つ、および８つの連続的なＣＣＥをそれぞれ含む、制御チャネル候補の第１、第２、第４、および第８のアグリゲーションレベルが存在し、各アグリゲーションレベルにおける、上記第２のキャリアに対応する第１の制御チャネル候補は、各アグリゲーションレベルにおける、上記第１のキャリアに対応する上記第１の制御チャネル候補からＣＣＥの数だけシフトされる、項目１７に記載の装置。
（項目２２）
ＣＣＥの数は、各アグリゲーションレベルにおける、上記第１のキャリア制御チャネル候補に対するＣＣＥ全体の数である、項目２１に記載の装置。
（項目２３）
ＣＣＥの数は、Ｑの整数の倍数ではなく、Ｑは、上記それぞれのアグリゲーションレベルにおける、各制御チャネル候補内のＣＣＥの数である、項目２１に記載の装置。
（項目２４）
ＣＣＥの数は、１つのＣＣＥと（Ｑ−１）個のＣＣＥとの間であって、Ｑは、上記それぞれのアグリゲーションレベルにおける、各制御チャネル候補内のＣＣＥの数である、項目２１に記載の装置。
（項目２５）
少なくとも上記第１のキャリア候補のサブセットおよび上記第２のキャリア候補のサブセットは、それぞれ、同一のＣＣＥを第１および第２の異なる順番で含む、項目１７に記載の装置。
（項目２６）
１つ、２つ、４つ、および８つの連続的なＣＣＥをそれぞれ含むＣＣＥサブセット候補の第１、第２、第４、および第８のアグリゲーションレベルが存在し、各アグリゲーションレベルにおける、第１のキャリア制御チャネル候補および第２のキャリア制御チャネル候補に対応するＣＣＥの場所は、疑似乱数によって各々決定される、項目１７に記載の装置。
（項目２７）
上記プロセッサは、首尾よく復号化された制御チャネル候補が、上記制御チャネル候補の第１および第２のサブセットの各々の中にあるとき、該首尾よく復号化された制御チャネル候補を上記第１のキャリアと関連付けるステップを行うようにさらにプログラムされる、項目２６に記載の装置。
（項目２８）
各アグリゲーションレベルにおける、第１のキャリア制御チャネル候補に対応するＣＣＥの場所と第２のキャリア制御チャネル候補に対応するＣＣＥの場所とは、相互にインターリービングされる、項目１７に記載の装置。
（項目２９）
ユーザエージェント（ＵＡ）において制御チャネルを処理して、多重キャリア通信システム内でリソースグラントによって配分されたアップリンクおよびダウンリンクリソースのうちの少なくとも１つを識別する方法であって、リソースグラントは、制御チャネル要素（ＣＣＥ）サブセットによって特定され、該方法は、
第１のキャリア上の制御チャネル候補を受信するステップと、
該第１のキャリア上の制御チャネル候補を復号化して、リソースグラントを識別するステップと、
該識別されたリソースグラントを第２のキャリアと関連付けるステップと
を行うプログラムを実行するプロセッサを使用するステップを含む、方法。
（項目３０）
ユーザエージェント（ＵＡ）において制御チャネルを処理して、多重キャリア通信システム内でリソースグラントによって配分されたアップリンクおよびダウンリンクリソースのうちの少なくとも１つを識別する装置であって、リソースグラントは、制御チャネル要素（ＣＣＥ）サブセットによって特定され、該装置は、
第１のキャリア上の制御チャネル候補を受信するステップと、
該第１のキャリア上の制御チャネル候補を復号化して、リソースグラントを識別するステップと、
該識別されたリソースグラントを第２のキャリアと関連付けるステップと
を行うプログラムを実行するプロセッサを備える、装置。
（項目３１）
ユーザエージェント（ＵＡ）に制御チャネルを伝送して、多重キャリア通信システム内でリソースグラントによって配分されたアップリンクおよびダウンリンクリソースのうちの少なくとも１つを識別する方法であって、リソースグラントは、制御チャネル要素（ＣＣＥ）サブセットによって特定され、各ＣＣＥサブセットは、制御チャネル候補であり、該方法は、
第１のキャリア上の制御チャネル候補の第１のサブセットを第１のキャリアと関連付けるステップであって、該第１のキャリアと関連付けられたサブセットは、第１のキャリア候補を含む、ステップと、
第１のキャリア上の制御チャネル候補の第２のサブセットを第２のキャリアと関連付けるステップであって、該第２のキャリアと関連付けられたサブセットは、第２のキャリア候補を含む、ステップと、
リソースグラントが該第１のキャリアと関連付けられる場合に、第１のキャリア候補を使用して該リソースグラントを伝送し、リソースグラントが該第２のキャリアと関連付けられる場合に、第２のキャリア候補を使用して該リソースグラントを伝送するステップと
を含む、方法。